(57)【要約】【課題】  視覚に障害をもっている者でも簡単な操作により識別音によって通話相手先を選択することができ、相手先を間違えることで不快になったり、時間や費用を無駄にすることがないヘッドセットシステムを提供すること。【解決手段】  送受信ボタン１０と、終了／電源ボタン１１とを有する携帯電話機用子機１と、この子機に接続されたイヤホーン６又はヘッドホンとを具備したヘッドセットシステムであって、携帯電話機のメモリに通話相手先として登録している複数の電話番号と対応付けた複数の識別音が登録されたメモリが設けられ、このメモリに登録された複数の識別音から個別の識別音を選択する操作ボタン１２が設けられ、この操作ボタンで選択した識別音により前記電話番号の通話相手先が聞き分けられるようになっている。【選択図】        図１
2005354608.tif 000002
【特許請求の範囲】
【請求項１】
送受信のときに操作する送受信ボタンと、送受信を取り消し、あるいは電源のオンオフのときに操作する終了／電源ボタンとを有する携帯電話機用子機と、この子機に接続されたイヤホーン又はヘッドホンとを具備したヘッドセットシステムであって、
携帯電話機のメモリに通話相手先として登録している複数の電話番号と対応付けた複数の識別音が登録されたメモリが設けられ、このメモリに登録された複数の識別音から個別の識別音を選択する操作ボタンが設けられ、この操作ボタンで選択した識別音により前記電話番号の通話相手先が聞き分けられることを特徴とするヘッドセットシステム。
【請求項２】
操作ボタンは、子機に音量ボタンと隣接して１個設けられ、押す回数により識別音を個別に選択できる請求項１記載のヘッドセットシステム。
【請求項３】
識別音は、数秒ごとに繰り返して鳴るブザー音である請求項１又は２記載のヘッドセットシステム。
【発明の詳細な説明】
【技術分野】
【０００１】
この発明は、携帯電話機とともに用いられるヘッドセットシステムに関し、特に視覚に障害をもっている者でも、携帯電話機の液晶モニタを見なくとも通話先を確実に確認できて電話のかけ間違いの起きないようにすることが可能なシステムに係るものである。
【背景技術】
【０００２】
従来の携帯電話機の通話に使われているヘッドセットは、携帯電話機を手に持たずともかかってきたときは受けて通話することができる。この場合には耳で音を聞いて、外に付いているマイクが声を拾う。例えば、携帯電話機に着信があったとき、あらかじめ耳に装着したヘッドセット、又はその時点で耳に装着したヘッドセットの受信ボタンを押して受信し、これにより、携帯電話機を手に持たずともハンズフリー通話ができる。また、携帯電話等の着信音を発信者名で知らせる移動体通信機器も提案されている（例えば、特許文献１参照）。
【０００３】
【特許文献１】特開２００１−２３７９１９号公報
【０００４】
しかし、前記従来のヘッドセットは、受信はできるが複数の相手先にヘッドセットから電話をかける手段はない。また、特許文献１の移動体通信機器も発信者アナウンス機能、すなわち受信機能のみで発信機能はない。健常者でも携帯電話機の複雑なボタン操作に悩まされているところ、特に視覚に障害をもっている者においては、電話をかける際に携帯電話機の小さいボタンを操作したり、あるいは登録してある電話帳からかけたい通話相手先を液晶モニタを見ながら選択するためにスクロールボタンを操作したりなど、それが不便さにつながっており、利便性に欠けていた。
【発明の開示】
【発明が解決しようとする課題】
【０００５】
そこでこの発明は、前記従来の問題点を解決し、視覚に障害をもっている者でも簡単な操作により識別音によって通話相手先を選択することができ、相手先を間違えることで不快になったり、時間や費用を無駄にすることがないヘッドセットシステムを提供することを目的とする。
【課題を解決するための手段】
【０００６】
前記目的を達成するため、請求項１に記載の発明は、送受信のときに操作する送受信ボタンと、送受信を取り消し、あるいは電源のオンオフのときに操作する終了／電源ボタンとを有する携帯電話機用子機と、この子機に接続されたイヤホーン又はヘッドホンとを具備したヘッドセットシステムであって、携帯電話機のメモリに通話相手先として登録している複数の電話番号と対応付けた複数の識別音が登録されたメモリが設けられ、このメモリに登録された複数の識別音から個別の識別音を選択する操作ボタンが設けられ、この操作ボタンで選択した識別音により前記電話番号の通話相手先が聞き分けられることを特徴とする。
【０００７】
請求項２に記載の発明は、請求項１において、操作ボタンは、子機に音量ボタンと隣接して１個設けられ、押す回数により識別音を個別に選択できることを特徴とする。
【０００８】
請求項３に記載の発明は、請求項１又は２において、識別音は、数秒ごとに繰り返して鳴るブザー音であることを特徴とする。
【発明の効果】
【０００９】
この発明は、前記のような構成からなるので、簡単な操作により操作ボタンで選択した識別音により電話番号の通話相手先を聞き分けることができる。したがって、視覚に障害をもっている者でも、携帯電話機を手に持ったり、あるいはその液晶モニタを見ることなく、携帯電話機に事前に登録してある複数の相手先の中から容易に選択し、その選択に間違いがないかどうかを自分の耳で確認後電話をかけたり、着信を受けたりすることができ、電話の発信操作をストレスなくスムーズに快適に行うことができるという優れた効果がある。
【発明を実施するための最良の形態】
【００１０】
この発明の一実施の形態を、添付図面を参照して説明する。図１は一実施の形態の携帯電話機用子機とそれに接続されたイヤホーンを示す正面図、図２は図１を右側から見た側面図である。１は携帯電話機用子機で、図示しない携帯電話機（親機）とは近距離で無線により中継できるようになっている。携帯電話機用子機１の本体２の裏面にはクリップ３が取り付けられ、該クリップによって例えば衣服のポケットに掛けて装着できるようになっている。本体２の側面には開口４が設けられ、該開口を介してイヤホーン付きコード５が本体２内の巻取部から外部に引き出し可能になっている。コード５の先端に取り付けられたイヤホーン６はイヤピース７とイヤパッド８からなっている。イヤピース７は携帯電話機で受信した音を子機１を通して聞くことができるとともに、内蔵したマイクにより通話も可能になっている。イヤパッド８は、その外周に設けたヒダ状の鍔により耳に密接して装着が可能になっている。
【００１１】
１０は送受信ボタンで、電話をかけるときや電話を受けるときに押す操作をする。１１は終了／電源ボタンで、送受信を取り消し、あるいは電源のオンオフのときに押す操作をする。１２は短縮ボタン（操作ボタン）である。本体２内には携帯電話機のメモリに通話相手先として登録している複数の電話番号と対応付けた複数の識別音が登録されたメモリ（図示せず）が設けられており、短縮ボタン１２を押す操作、すなわち押す回数により前記メモリに登録された複数の識別音から個別の識別音を選択することが可能になっている。例えば通話相手先として３番目に登録している相手に通話したいときは、短縮ボタンを３回押す、これにて３番目に登録されている識別音が鳴り、該識別音を聞くことで携帯電話機に対応付けられて３番目に登録されている電話番号であることがわかる。
【００１２】
本体２内のメモリに登録されている複数の識別音は図３に示すようにパターン化されている。図示しているようにメモリ番号として１番目から１０番目までの識別音パターンがあり、それぞれのパターンで薄く着色して示した部分が、音が鳴るところ、ブランクの部分が、音が鳴らないところとなっている。着色部が複数続いている部分は、それだけ音が長くなる。これらパターンの識別音は３秒毎に繰り返して鳴る。そして、これらパターンによる識別音（それは音というよりリズムと言ったほうがよいかもしれないが）や音の長短にて聞く者に聞き分けることが可能に独特の印象を与えるものである。図３の識別音パターンはあくまでも一例であり、識別音の数やパターン例は適宜に必要に応じて変更することができる。
【００１３】
１５は音量ボタン（上げる）、１６は音量ボタン（下げる）で、音量ボタン１６はマイクオフ（３秒押し）も兼ねている。１７はコード巻取りボタンで、押すことにより引き出されたイヤホーン付きコード５をばねの付勢力により本体２内の巻取部に自動的に巻き取ることができるようになっている。
【００１４】
前記による短縮ボタン１２による発信は、次の手順にて行われる。すなわち、携帯電話機のメモリに登録されている１番目から１０番目までを短縮ボタン１２を連続して押す数によって選択する。前記選択が正しいかどうかを、イヤピース７から聞こえる識別音にて確認する。確認に際しては１秒を５段階で区切った図３のパターンの識別音で聞き分ける。例えば１番目から４番目までは子番として一定間隔のブランクを空け、それぞれの番号の数字の音が鳴るようにする。そして５番目は、子番と違う段階のものと冒頭で識別させるため、最初に「プーー・プーー」という音が鳴るようにする。６番目は、５番目の識別音＋「１」の音の識別音を組み合わせて一定の時間内で繰り返す（６番目では「プーー・プッ」、７番目では「プーー・プップッ」）さらに、５番目の２倍の１０番目では、５番目を２回繰り返す識別音を冒頭で鳴るようにし、後はその繰り返しで組み合わせていく。そして、発信先の選択が正しいと確認できた後に、ある一定の時間内（例として１０秒）に送受信ボタン１０を押すことで発信できる。間違いを確認した場合は終了／電源ボタン１１を押して取り消し、最初からやり直しする。
【００１５】
前記のように予め携帯電話機に登録された通話相手先を短縮ボタン１２だけで呼び出し、そしてその選択が正しいか押し間違えていないかを自分の耳で識別音にて確認し、正しければ送受信ボタン１０を操作すれば目で確認する必要もなく容易に発信ができる。これらにより、携帯電話機を手に持ったり、あるいは液晶モニタを見なくとも間違い電話をする不安から解消され、ストレスなく気軽に電話をかけられる。
【００１６】
前記発信するための識別音を聞き取る際には、外部の騒音環境に全く影響されない。例えば、通常周囲が騒音状態であれば、片方の耳を塞いで周囲の音が耳に入らないようにするため、片手を使用することとなる。しかし、イヤホーン６を用いる場合、耳の中を密閉状態にするため、周囲が、例えば通常の通話には向かないとされる４０ｄＢ以上や、１ｍ以内の距離で大声を張り上げても相手の話し声が聞き取れない８０ｄＢ以上の騒音環境でも、ハンズフリーにて識別音がスムーズに確認でき、イヤピース７内にあるマイクを用いてスムーズな通話もできる。
【００１７】
携帯電話機のメモリ登録機能をそのまま活かすため、多種類のボタンを複雑に操作する必要がなく、短縮ボタン１２と送受信ボタン１０というわずか２種類のボタンを押すだけで、携帯電話機のメモリに登録済みの複数の通話相手先に携帯電話機を持ったり、液晶モニタを見たりすることなくヘッドセットだけで電話をかけることができる。今年６月の道路交通法改正により、運転中に携帯電話機を手に持って通話したり、メール確認をするなど、携帯電話機を手にしているところを警察官が目視確認した時点で道路交通法違反となるが、このシステムを用いれば通話や発信のために携帯電話機を手に持つ必要がないから快適かつ安全性が確保できる。
【００１８】
このシステムを用いれば利便性が格段に向上し、間違い電話のためにかかっていた通信費もなくすことができる。しかも、識別音で全て確認できるため、目視のための液晶モニタの必要がなく、小型・軽量・低コスト化が実現する。
【００１９】
識別音についても一定の規則性をもたせることで単純に１０番目なら１０回「プー・プー・プー…」の番号と同じ数字の数だけ聞こえるよりも、識別に要する時間が短くて済み、最後まで聞かずに途中で間違いに気付くことができる。また、識別音の設定次第で、１００番目・１０００番目など番号が多くなっても、規則性を利用して容易に短時間で判別させることができる。
【００２０】
前記実施の形態では、操作ボタンとしての短縮ボタン１２を子機１に設けたが、ほかにヘッドセットがヘッドホンのような設置可能領域を有する場合にはヘッドホンに設けてもよい。また、携帯電話機に通話相手先として登録している複数の電話番号と対応付けた複数の識別音を登録するメモリを子機１に設けたが、これも短縮ボタン１２と同様に子機以外に設けてもよい。また、操作ボタンとしての短縮ボタン１２として１個のもので、何回か押すことにより識別音を選択するようなものを示したが、操作ボタンとしては必ずしも１個のものでなくともよく、登録している電話番号に対応した複数個を設けてもよい。また、識別音もブザー音は一例であり、同効のものでもよい。そのほか、細部については特許請求の範囲に記載した範囲で実施をする際に種々に変更したり修正したりすることができるものである。
【図面の簡単な説明】
【００２１】
【図１】この発明の一実施の形態である携帯電話機用子機とそれに接続されたイヤホーンを示す正面図である
【図２】図１を右側から見た側面図である。
【図３】識別音パターン例を示す図面である。
【符号の説明】
【００２２】
１  携帯電話機用子機
２  本体
３  クリップ
４  開口
５  イヤホーン付きコード
６  イヤホーン
７  イヤピース
８  イヤパッド
１０  送受信ボタン
１１  終了／電源ボタン
１２  短縮ボタン（操作ボタン）
１５  音量ボタン
１６  音量ボタン
１７  コード巻取りボタン
【図１】
2005354608.tif 000003
【図２】
2005354608.tif 000004
【図３】
2005354608.tif 000005